(57)【特許請求の範囲】
【請求項１】
便器のボウル面に洗浄水を流すリム給水部及び該便器のトラップ排水部を指向するジェット給水部への給水を行う給水手段と、該給水手段の動作を制御する制御手段とを備えた便器装置において、
掃除スイッチを設け、
該掃除スイッチの操作がなされた場合には、前記ジェット給水部へ給水して便器溜水面の水を排出させ、さらに用便後の便器洗浄時よりも長時間前記トラップ排水部内に給水して前記ボウル面内の溜水を排水した状態を維持するよう、前記制御手段によって前記給水手段を作動させたことを特徴とする便器装置。
【請求項２】
請求項１記載の便器装置において、
前記制御手段により、前記ジェット給水部へ給水する前に前記リム給水部へ所定時間給水するよう構成したことを特徴とする便器装置。
【請求項３】
請求項１又は請求項２記載の便器装置において、
前記制御手段は、前記ジェット給水部へ所定時間給水した後に前記リム給水部へ所定時間給水するよう構成したことを特徴とする便器装置。
【請求項４】
請求項２又は請求項３記載の便器装置において、
前記制御手段は、所定時間経過前に前記掃除スイッチが操作されると、所定時間が経過したとみなして次の動作へ移行するよう構成したことを特徴とする便器装置。
【請求項５】
請求項１記載の便器装置において、
前記給水停止後は、前記制御手段によって、まずリム給水部への給水を一定時間行い、次にジェット洗浄を行い、最後に再度リム給水部への給水を行うようにしたことを特徴とする便器装置。
【発明の詳細な説明】
【技術分野】
【０００１】
本発明は、リム給水部及びジェット給水部を独立に有する便器装置に係り、特に便器使用後の洗浄動作とは別に便器を掃除する際に便器内を掃除がしやすい状態に保つよう補助給水を各給水部から行うに好適な制御に関するものである。
【背景技術】
【０００２】
従来の便器装置において、掃除用ブラシ等で便器の掃除を行う場合に、便器内に付着した汚れや掃除の際に用いた洗剤を流し落とすためには、洗浄用タンク内に溜まった洗浄用の水を使用していた。
【発明の開示】
【発明が解決しようとする課題】
【０００３】
ところが、タンク内に溜まった水は約２〜３秒程度で全て流れ切ってしまい、再度便器内を洗い流すためにはタンク内に水が溜まる（３０秒乃至１分程度）のを待たなければならなかった。またボウル部に常に溜水が残っているため、ボウル部の底部分を掃除ブラシ等でこすりづらく、清掃しづらかった。
【０００４】
更には、例えば、節水のために、リム給水部とは別に便器のボウル部にジェット給水部を設けている便器装置においては、リム給水部に引続きジェット給水部に水が供給されるようになっているので、この水は洗浄には寄与しないという問題があった（例えば、特開平３−９０７４６号公報参照）。
【０００５】
本発明の目的は、必要な場合に必要な時間、便器への洗浄水を止めまた水を流すことが可能な便器装置を提供することにある。
【課題を解決するための手段】
【０００６】
本発明に従う便器装置は、便器のボウル面に洗浄水を流すリム給水部及び該便器のトラップ排水部を指向するジェット給水部への給水を行う給水手段と、該給水手段の動作を制御する制御手段とを備えたもので、掃除スイッチを設け、該掃除スイッチの操作がなされた場合には、上記ジェット給水部へ給水して便器溜水面の水を排出させ、さらに用便後の便器洗浄時よりも長時間上記トラップ排水部内に給水して上記ボウル面内の溜水を排水した状態を維持するよう、上記制御手段によって上記給水手段を作動させたことを特徴とする。
【０００７】
本発明に係る好適な実施形態では、上記制御手段により、上記ジェット給水部へ給水する前に上記リム給水部へ所定時間給水するよう構成したことを特徴とする。
【０００８】
上記とは別の実施形態では、上記制御手段は、上記ジェット給水部へ所定時間給水した後に上記リム給水部へ所定時間給水するよう構成したことを特徴とする。
【０００９】
また、上記制御手段は、所定時間経過前に上記掃除スイッチが操作されると、所定時間が経過したとみなして次の動作へ移行するよう構成したことを特徴とする。
【００１０】
更に、上記とは別の実施形態では、上記給水停止後は、上記制御手段によって、まずリム給水部への給水を一定時間行い、次にジェット洗浄を行い、最後に再度リム給水部への給水を行うようにしたことを特徴とする。
【発明を実施するための最良の形態】
【００１１】
続いて、添付した図面を参照しつつ、本発明を具体化した実施の形態につき説明し、本発明の理解に供する。
【００１２】
ここに、図１は、本発明の第１の実施形態に係る便器装置の説明図、図２は、図１に記載の上記便器装置の斜視図、図３は、本発明の第２の実施形態に係る便器装置の概略説明図である。
【００１３】
図１、及び図２に示すように、本発明の第１の実施形態に係る便器装置１０は、サイフォンジェット式の便器装置から成っているもので、その中央部から下部がボウル部１１となっている陶器又はプラスチック製の便器１２と、一端がボウル部１１の底部に連通するトラップ排水部１３と、便器１２の上端周縁に配置された環状のリム給水部１４と、便器１２の後方上部に設けられた機器収納部１５とを有している。
【００１４】
リム給水部１４の底壁には、周方向に間隔を隔てて形成された多数の貫通孔１４ａが形成され、これらの部分からボウル部１１のボウル面に沿って洗浄水が放出されるようになっている。ボウル部１１の底部には、トラップ排水部１３の一方を指向したジェット洗浄水の噴出口１６が設けられ、トラップ排水部１３の他方は、図示しない給水管に接続されている。
【００１５】
図示しない水道配管に接続された給水管１７が、機器収納部１５内にあり、給水管１７から枝管１８、１９が分岐している。枝管１８には給水手段の一例である電磁弁から成る第１の止水弁２０が接続され、枝管１９には同じく給水手段の一例である電磁弁から成る第２の止水弁２１が接続されている。止水弁２０の下流側に接続される配管２２は、途中に大気開放弁２３を有しており、該配管２２は、噴出口１６に接続されている。また、止水弁２１の下流側の配管２４は、リム給水部１４に接続される導水部２５に接続されている。
【００１６】
なお、リム給水部１４は、第三実施例として詳述するように便器１２のボウル部１１の上端のリム周囲に導水部を持たせた本実施形態に限定されず、ボウル部１１の上端奥側のリム近傍に洗浄水を勢いよく噴射させる噴射口を設けて、その噴射口からの洗浄水がボウル部１１を螺旋状に流れるように噴射させるような構成としてもよい。
【００１７】
一方、止水弁２０、２１のオン／オフを含むこの便器装置１０の全体の制御を行う制御手段２６が、機器収納部１５内に設けられている。制御手段２６に接続されて、止水弁２１の入り／切りを行うオンスイッチ２７とオフスイッチ２８とを備えた操作手段の一例であるスイッチ操作部２９が、便器１２又は機器収納部１５の側部に設けられている。
【００１８】
なお、便器１２の側方に脇スイッチボックス手段が設けられている場合には、この中にスイッチ操作部２９を組み込むこともできる。
【００１９】
なお、図２において、符号３１は、開／閉可能な便座、符号３２は、その上に被さる便蓋である。
【００２０】
通常の洗浄では、用便後にリム給水部１４からの給水で便鉢を洗浄し、続いてジェット洗浄水の噴出口１６からの給水で汚物を搬送し、再度リム給水部１４からの給水で洗浄を行って封水を行っている。
【００２１】
このような構造となっているので、スイッチ操作部２９のオンスイッチ２７を押すと、止水弁２０が開き、水道水が止水弁２０を通ってジェット洗浄水の噴出口１６に給水され、汚物を搬送するのに十分な時間が終了し、トラップ排水部１３にサイフォン作用がおきると止水弁２０を止める。これによりボウル部１１の水が図示しない排水管から排出されボウル部１１の水が無い状態で保持される。
【００２２】
そして、オフスイッチ２８を押すとリム給水部１４からの給水で便鉢を洗浄し、続いてジェット洗浄水の噴出口１６からの給水で汚物を搬送し、再度リム給水部１４からの給水で洗浄を行って封水を行う。
【００２３】
この場合、図２に示すように、夫々の貫通孔１４ａを斜め反時計方向に向けておくことによって、リム洗浄時に反時計方向の水流をボウル部１１内に形成し、ボウル部１１の全面を覆うようにして洗浄される。
【００２４】
また、この場合、オフスイッチ２８を押し忘れると、便器１２の封水がされないので、所定時間（例えば1分〜3分）を経過すれば自動的にジェット洗浄水の噴出口１６への給水を行い、トラップ排水部１３内に給水を行う。
【００２５】
続いて、図３を参照しながら本発明の第２の実施形態に係る水洗便器装置について説明するが、第１の実施形態に係る便器装置１０との相違点のみ異なる番号を付して説明する（以下の実施形態においても同じ）。
【００２６】
第２の実施形態に係る便器装置においては、止水弁２１の下流側の配管２４に流量調整弁３５を設けている。この流量調整弁３５は、電気信号によってその流量調整が可能で、通常の用便後の使用においては最大開度となっている。一方、操作手段の一例であるスイッチ操作部３６を介してオフ動作を行う場合には、最初のリム洗浄流量を一定時間無段階で、或いは段階的に調整ができるように、別に、流量調整部の一例であるコントロール用の摘まみ（ボリューム）３７が設けられている。これによって、オフスイッチ２８を押された後の最初のリム洗浄をする場合には、その給水瞬間流量を調整できるようにしている。これによって、便器１２内のブラシを使っての掃除等の場合には少量の水にすることができる。
【００２７】
また、最初のリム洗浄中にスイッチ操作部３６のリム洗浄オフスイッチ３８を押した場合は、リム給水部１４への給水を止め、ジェット洗浄水の噴出口１６からの給水でトラップ排水部１３にサイフォン作用をおこして溜水を排出し、再度リム給水部１４からの給水で洗浄を行って封水を行う。これによって最初のリム洗浄の時間を調節できる。
【００２８】
以上の実施形態において、操作手段（スイッチ操作部２９、３６）は、便器１２の側部に配置したが、別配置されたリモコンスイッチ手段の一例であるリモコンボックス３３（図１、及び図２参照）内に設けることもできる。
【００２９】
なお、リモコンボックス３３は、これらの実施形態では電池を駆動電源として、トイレ（室）の天井面を向いて配置された発光ダイオードから成る投光器３４を備え、機器収納部１５の特定位置に設けたフォトトランジスタやフォトダイオード等から成る図示しない受光器に光を当てて、制御手段２６に信号を送り、止水弁２０、２１の開／閉を行うようになっている。
【００３０】
次に、上述した各実施形態に係る便器装置に適用可能なバルブの構成について、図面を参照して具体的に説明する。
【００３１】
図４は、上記各実施形態に係る便器装置に適用可能なバルブ部の一実施例の概略断面図である。
【００３２】
図４において、バルブ部３９は、水道水を導く導入路と連結した、給水圧力の変動に応じて開度を調整し洗浄流量を略一定に維持するための定流量弁４０、定流量弁４０の２次側で分岐して、ボウル給水路（即ち、配管）２４に給水するための第１開閉弁４１、トラップ給水路（即ち、配管）２２に給水するための第２開閉弁４２を備えている。第１開閉弁４１及び第２開閉弁４２は、パイロット作動式の弁でパイロット流路を開閉することにより開閉する。定流量弁４０は、略円錐形状のコイルばね４３式で、コイルばね４３の空隙面積が前後の圧力差により変化する。圧力差が大きい場合には、コイルばね４３の変位量が大きくなり空隙面積が低下し、圧力差が小さい場合にはコイルばね４３の変位量が小さくなり空隙面積が増大する。圧力差の平方根に比例する流速で空隙を通過するので、空隙面積は圧力差の平方根に反比例するようにコイルばね４３のばね定数を設定している。定流量弁４０により、給水圧力が変化しても導入路を流れる洗浄水の流量は略一定に維持される。
【００３３】
第１開閉弁４１の開閉を制御する第１パイロット流路４４は、第１電磁弁４５と第１手動操作弁４６とを並列に接続した流路で構成している。また、同様に第２開閉弁４２の開閉を制御する第２パイロット流路４７は、第２電磁弁４８と第２手動弁操作４９とを並列に接続した流路で構成している。
【００３４】
第１開閉弁４１と、第２開閉弁４２とを電気的に駆動させる場合には、夫々第１電磁弁４５、第２電磁弁４８を開閉させる。手動で開閉させる場合は、夫々第１手動操作弁４６、第２手動操作弁４９を手動弁開閉手段（後に詳述する）により開閉させる。
【００３５】
第１開閉弁４１は、ダイヤフラム５０と、ダイヤフラム５０の隔壁の一部とする第１圧力室５１と、第１圧力室５１の圧力によりダイヤフラム５０と密着しボウル給水路（即ち、配管）２４を塞ぐ第１弁座５２とから構成している。そして、第１圧力室５１は、第１パイロット流路４４と連通し、第１パイロット流路４４は、第１電磁弁４５と第１手動操作弁４６の流路一端部４５ａ、４６ａと連絡している。第１電磁弁４５の流路他端部４５ｂと第１手動操作弁４６の流路他端部４６ｂとは合流路５３で合流してボウル給水路（即ち、配管）２４と連絡している。第１手動操作弁４６の流路他端部４６ｂは、後述するカムシャフトを収納する収納空間部５４ｂと連通し、収納空間部５４ｂを流路として利用して合流路５３と連絡している。また、ダイヤフラム５０には、上述した導入路と第１圧力室５１とを連通させるためのブリード穴５５を備えている。
【００３６】
第２開閉弁４２は、ダイヤフラム５６と、ダイヤフラム５６の隔壁の一部とする第２圧力室５７と、第２圧力室５７の圧力によりダイヤフラム５６と密着しトラップ給水路（即ち、配管）２２を塞ぐ第２弁座５８とから構成されている。そして、第２圧力室５７は第２パイロット流路４７と連通し、第２パイロット流路４７は第２電磁弁４８と第２手動操作弁４９の流路一端部４８ａ、４９ａと連絡している。第２電磁弁４８の流路他端部４８ｂと、第２手動操作弁４９の流路他端部４９ｂとは後述するカムシャフトを収納する収納空間部５４ｂで連通し、合流路５３と連絡してトラップ給水路（即ち、配管）２２と連絡している。また、ダイヤフラム５６には導入路と第２圧力室５７とを連通させるためのブリード穴５９を備えている。
【００３７】
第１手動操作弁４６は、ゴム製パッキン６０と一体化した第１コマ６１と第１パイロット弁座６２と、ゴム製パッキン６０を第１パイロット弁座６２に密着させる方向に付勢させるコイルばね６３とから成り、第１コマ６１の押圧部６１ａが収納空間部５４ｂに突出している。
【００３８】
第１コマ６１を水圧による力とコイルばね６３の付勢力に逆らって押圧することにより、第１手動操作弁４６が開弁し、第１圧力室５１の圧力がボウル給水路（即ち、配管）２４とほぼ同じ圧力まで低下し、ダイヤフラム５０に加わる力の釣り合いが崩れ、ダイヤフラム５０が第１弁座５２から離れて第１開閉弁４１が開弁する。第１コマ６１の押し圧力を取り除くと、水圧による力とコイルばね６３による力によりゴム製パッキン６０は、第１パイロット弁座６２に密着し、第１パイロット流路４４が閉じる。第１パイロット流路４４が閉じると、洗浄水は導入路からブリード穴５５を通り、第１圧力室５１に流れ込み第１圧力室５１の圧力が導水路の圧力と略同じとなり、ダイヤフラム５０が第１弁座５２に密着しボウル給水路（即ち、配管）２４が塞がれる。
【００３９】
第２手動操作弁４９は、ゴム製パッキン６４と一体化した第２コマ６５と第２パイロット弁座６６と、ゴム製パッキン６４を第２パイロット弁座６６に密着させる方向に付勢させるコイルばね６７とから成り、第２コマ６５の押圧部６５ａが収納空間部５４ｂに突出している。
【００４０】
第２コマ６５を水圧による力とコイルばね６７の付勢力に逆らい押圧することにより、第２手動操作弁４９が開弁し、第２圧力室５７の圧力が、ボウル給水路（即ち、配管）２４と略同じ圧力まで低下し、ダイヤフラム５６に加わる力の釣り合いが崩れ、ダイヤフラム５６が第２弁座５８から離れトラップ給水路（即ち、配管）２２が開弁する。第２コマ６５の押し圧力を取り除くと、水圧による力と、コイルばね６７による力によりゴム製パッキン６４は、第２パイロット弁座６６に密着し、第２パイロット流路４７が閉じる。第２パイロット流路４７が閉じると、洗浄水は導入路からブリード穴５９を通り、第２圧力室５７に流れ込み第２圧力室５７の圧力が導入路の圧力と略同じとなり、ダイヤフラム５６が第２弁座５８に密着しトラップ給水路（即ち、配管）２４が塞がれる。
【００４１】
使用者がハンドル（図示しない）を回動操作することで、その機械的操作力が該ハンドル（図示しない）から操作力伝達手段（図示しない）を介して第１手動操作弁４６、及び第２手動操作弁４９を開閉する手動弁開閉手段（図示しない）に伝達され、それにより、ボウル給水路（即ち、配管）２４、又はトラップ給水路（配管）２２に対して夫々独立に洗浄水が供給される。ハンドル（図示しない）を初期位置から反時計回り方向に９０度回すとボウル給水路（即ち、配管）２４へ、初期位置から時計回り方向に９０度回すとトラップ給水路（即ち、配管）２２へ洗浄水が供給され、手動操作によって洗浄水を便器１２へ供給することができる。
【００４２】
第１コマ６１の押圧部６１ａを押圧する第１カム６８と、第２コマ６５の押圧部６５ａを押圧する第２カム６９とを備えたカムシャフト７０と、カムシャフト７０を初期位置に復帰させるためのトーションばね７１と、上述した操作力伝達手段（図示しない）とカムシャフト７０とを連結する連結軸７２とによって、上述した手動弁開閉手段が構成される。そして、カムシャフト７０を回動させることにより、第１手動操作弁４６と第２手動操作弁４９とを開閉する。
【００４３】
カムシャフト７０、第１カム６８、第２カム６９、カムシャフト７０の操作軸である連結軸７２は、バルブ部３９のケーシング５４ａ内に形成した収納空間部５４ｂ内に収納された状態で配設している。連結軸７２は、Ｏリング７３にてシールされ大気中に突出した突設部７４を設け、この突設部７４と上述した操作力伝達手段（図示しない）とが係合し、該操作力伝達手段（図示しない）に連結された上記ハンドル（図示しない）によりカムシャフト７０が回転する。
【００４４】
カムシャフト７０、第１カム６８、第２カム６９がパイロット作動水の合流路５３と連通した収納空間部５４ｂ内に配設され水没された状態となっており、上述した手動弁開閉手段と第１開閉弁４１、第２開閉弁４２の一体化ができ便器給水装置の小型化が図れる。
【００４５】
図５は、図４のＰ方向から見たカムシャフト７０の初期状態を示す断面図である。
【００４６】
カムシャフト７０には、図４において説明したように、第１コマ６１、第２コマ６５を各々押圧する第１カム６８と第２カム６９とを配設している。カムシャフト７０を反時計回りに回動させることにより第２コマ６５が第２カム６９によって押圧されて図５では上方に移動して、ゴム製パッキン６４が第２パイロット弁座６６から離れ、圧力室５７と合流路５３が矢印Ｘで示すように収納空間部５４ｂを経由して連通する。それにより圧力室５７内の圧力が低下し、第２開閉弁４２が開弁してトラップ給水路（即ち、配管）２２に洗浄水を供給する。
【００４７】
同様に、カムシャフト７０を時計回りに回動させることにより、第１コマ６１が第１カム６８によって押圧されて上方に移動して、ゴム製パッキン６０が第１パイロット弁座６２から離れ、圧力室５１と合流路５３が連通する。それにより圧力室５１内の圧力が低下し、第１開閉弁４１が開弁してボウル給水路（即ち、配管）２４に洗浄水を供給する。
【００４８】
図６は、本発明の第３の実施形態に係る便器装置を前方から見た斜視図、図７は、図６に記載した便器装置の、便器とカバーとに分離した状態での斜視図である。
【００４９】
図６、及び図７に示すように、本実施形態に係る便器装置１０１は、洋式の便器１０２と、便器１０２と給水源である水道管１０８との間に配置された給水手段である洗浄水供給装置１０３と、カバー側に取り付けられる局部洗浄装置(説明省略)と、洗浄水供給装置１０３、及び局部洗浄装置を電気的に制御する制御装置１２８とで構成されている。
【００５０】
図８は、図７、及び図２で示した洗浄水供給装置１０３の組立三面図及び斜視図、図９は、図８のＡ−Ａ断面図、便器１０２の上面図及び側断面図を組合せて洗浄水供給装置１０３の状態と便器１０２への給水状態とを説明するための図である。なお、図９では、洗浄水供給装置１０３は、初期状態にあり洗浄水の流れは生じていない。
【００５１】
図９より便器１０２には、ボウル部１０４内の汚物を排出するトラップ部１０５と、トラップ部１０５に洗浄水を噴出するジェット給水部１０６と、トラップ部１０５とボウル部１０４とを区画するための隔壁１０７とが設けられ、ジェット給水部１０６は、隔壁１０７の下縁部１０７ａより排水方向Ｄ寄りに配置されている。ボウル部１０４の上部には、リム部１１１が形成され、リム部１１１のボウル部１０４内に直接面した内側壁面１１１ａに沿ってボウル部１０４の洗浄水が供給される。
【００５２】
また、便器１０２の空洞部１０２ａには、水道管１０８から送給される洗浄水をジェット給水部１０６へ供給するためのジェット給水路１０９と、リム部１１１の内側壁面１１１ａを経由してボウル部１０４へ洗浄水を供給するために略水平を指向したリム給水口１１０ａを先端に有するリム給水路１１０を備えている。
【００５３】
洗浄水供給装置１０３は、水道管１０８から送給される洗浄水を導入するための導水管１１２と、導水管１１２に導入される洗浄水を給水圧にかかわらず所定の流量にする定流量弁１１８と、洗浄水をジェット給水路１０９、リム給水路１１０へ分配する洗浄水分配室１１３と、洗浄水分配室１１３で分配された洗浄水を夫々ジェット給水路１０９、リム給水路１１０へ送給するジェット給水ポート１１４、及びリム給水ポート１１５と、大気を導入するため前記ジェット給水ポート１１４、及び前記リム給水ポート１１５に夫々配置された負圧破壊弁１１６、１１７などを備えている。
【００５４】
洗浄水分配室１１３には、モータ１２７（図８参照）によって駆動軸１１９と共に時計回り、反時計回りに回動するカム１２０と、モータ１２７によって時計回り、反時計回りに回転する扇形の切替弁１２１が設けられ、洗浄水分配室１１３の下方には、導水管１１２からの導水経路を開閉するダイヤフラム式の主弁１２２と、主弁１２２の中心に立設された弁軸１２３と、弁軸１２３の下部に連結されたパイロット弁１２４と、パイロット弁１２４が収納され水道管１０８からの水圧によって主弁１２２を開閉させる圧力室１２５と、導水管１１２と圧力室１２５を連通させるブリード穴等が設けられている。本図は、パイロット弁が閉じているため主弁１２２が止水部１２２ａに当接しており、止水状態となっている。
【００５５】
次に、「リム洗浄モード１」、「ジェット洗浄モード１」、「ジェット洗浄モード２」、「リム洗浄モード２」の工程を順次実行する掃除モードの実行中の洗浄供給装置１０３の動作状態について図１０乃至図１３を用いて説明する。
【００５６】
先ず、「リム洗浄モード１」について図１０を用いて説明する。図９の止水状態において、便器装置１０１の制御部１２８より、洗浄水供給装置１０３に出水命令が送信されると、モータ１２７が作動して駆動軸１１９が時計回りに回転し、駆動軸１１９と共にカム１２０が時計回りに、後述する流量配分に基づいて所定角度回転して、カム１２０が弁軸１２３に当接してこれを傾倒させることでパイロット弁１２４を開き、これによって圧力室１２５の圧力が下がり主弁１２２が開弁し、導水管１１２から洗浄水分配室１１３内へ洗浄水が導入される。この時、切替弁１２１は出水口１１４ａ側が１／４程開き、出水口１１５ａが半開した位置（図示位置）にある。
【００５７】
従って、ジェット側に７Ｌ／ｍｉｎの流量と、リム側に１３Ｌ／ｍｉｎの流量の割合で給水される。なお、定流量弁１１８によって所定の流量（２０Ｌ／ｍｉｎ）にされた洗浄水は洗浄水分配室１１３から出水口１１４ａ又は１１５ａへ流れ込んで負圧破壊弁１１６又は１１７を押し上げてジェット給水ポート１１４又はリム給水ポート１１５、ジェット給水路１０９又はリム給水路１１０を経由してジェット給水部１０９ａ又はリム給水口１１０ａからトラップ部１０５又はリム部１１１へ夫々吐水される。リム給水口１１０ａからリム部１１１へ吐水された洗浄水は便器１０２のリム部１１１を周回しながらボウル部１０４へ落下して行き、この周回落下過程でボウル部１０４を洗浄するリム洗浄が行われる。
【００５８】
「リム洗浄モード１」は、リム給水口１１０ａから給水されるボウル給水量が多く、ジェット給水部１０６から給水されるトラップ給水量が少ないため、サイフォン作用が発生せず、ボウル部１０４内の溜水Ｗの水位を下げずに一定高さに保持して、リム洗浄のみを行える。
【００５９】
次に「ジェット洗浄モード１」について、図１１を用いて説明する。図１０の「リム洗浄モード１」の状態において、便器装置１０１の制御部１２８より、洗浄水供給装置１０３に出水命令が送信されると、モータ１２７が作動して駆動軸１１９が更に時計回りに回転し、駆動軸１１９と共にカム１２０が時計回りに、後述する流量配分に基づいて所定角度回転するが、カム１２０は扇型をしており、弁軸１２３は傾倒した状態を維持し、これによって主弁１２２は開弁した状態を維持する。この時、切替弁１２１は出水口１１４ａ側が全開、出水口１１５ａが全閉となる位置（図示位置）にある。
【００６０】
従って、ジェット側に２０Ｌ／ｍｉｎの流量と、リム側は略ゼロの流量の割合で給水される。定流量弁１１８によって所定の流量にされた洗浄水は洗浄水分配室１１３から出水口１４ａへ流れ込んで負圧破壊弁１１６を押し上げたままジェット給水路１０９へ流入し、便器１０２のジェット給水部１０６からトラップ部１０５に向かって噴出され、ジェット洗浄が行われる。ジェット給水部１０６からトラップ部１０５への洗浄水噴出が一定時間継続されるとトラップ部１０５にサイフォン作用が発生し、これによってボウル部１０４内の溜水Ｗは排出され、ボウル部１０４内は溜水Ｗの無い空の状態になる。「リム洗浄モード１」の際に洗剤を用いてボウル部１０４内を清掃していれば、この時に溜水Ｗと共に洗剤はトラップ部１０５から排出される。なお、溜水Ｗの上面を浮遊している洗剤が逆流して残ることがある。このため、このジェット洗浄はサイフォン作用が終了した時に洗剤を含んだ溜水Ｗがトラップ部１０５からボウル部１０４内に戻ることを防止するため、サイフォン作用の終了後もジェット洗浄を行ない溜水を完全に排出するように一定時間継続される。
【００６１】
次に「ジェット洗浄モード２」について、図１２を用いて説明する。図１１の「ジェット洗浄モード１」の状態において、便器装置１０１の制御部１２８より、洗浄水供給装置１０３に出水命令が送信されると、モータ１２７が作動して駆動軸１１９が反時計回りに回転し、駆動軸１１９と共にカム１２０が時計回りに、後述する流量配分に基づいて所定角度回転するが、カム１２０は扇型をしており、弁軸１２３は傾倒した状態を維持し、これによって主弁１２２は開弁した状態を維持する。この時、切替弁１２１は出水口１１４ａ側が半開、出水口１１５ａが僅かに開いた位置（図示位置）にある。
【００６２】
従って、ジェット側に１５Ｌ／ｍｉｎとリム側に５Ｌ／ｍｉｎの流量の割合で給水される。即ち、切替弁１２１は、反時計回りに所定角度回転してジェット給水ポート１１４の出水口１１４ａを僅かに閉止すると共にリム給水ポート１１５の出水口１１５ａを僅かに開放して停止するので、定流量弁１１８によって所定の流量にされた洗浄水は洗浄水分配室１１３から、その多くが出水口１１４ａへ流れ込んでジェット給水部１０６からトラップ部１０５に向かって噴出され、残りの一部が出水口１１５ａへ流れ込みリム給水口１１０ａからリム部１１１へ吐水される。このリム部１１１へ吐水された洗浄水によってボウル部１０４の表面に載った状態で残った洗剤をトラップ部１０５に洗い落とし、ジェット給水部１０６から噴出される洗浄水によって洗剤を便器外に排出する。なお、「ジェット洗浄モード２」の給水は、「ジェット洗浄モード１」のジェット給水から継続して行われる上、ジェット側に１５Ｌ／ｍｉｎの流量で給水されるので、リム側への５Ｌ／ｍｉｎの給水はボウル部１０４に溜まることはなく排出され、ボウル部１０４内は溜水Ｗが空の状態に維持できる。また、リム部１１１へ吐水された洗浄水がトラップ部１０５に流下することで、サイフォン作用により溜水Ｗがなくなったジェット給水部１０６の表面を洗浄水で満たすので、ジェット給水部１０６からの洗浄水の噴出音が小さくなる。
【００６３】
更に、定流量弁１１８によって所定の流量にされた洗浄水をジェット給水部１０６とリム給水口１１０ａに分配しているので、ジェット給水部１０６から噴出される洗浄水の流量とリム給水口１１０ａから吐水される洗浄水の流量の和は、ジェット給水部１０６、及びリム給水口１１０ａの夫々から単独で便器１０２に供給する場合の流量と同じである。この結果、ジェット給水部１０６とリム給水口１１０ａとから同時に便器１０２に洗浄水を供給する場合には節水ができると共に、流量と吐水時間の積で求められる総給水量の算出も容易になる。
【００６４】
次に「リム洗浄モード２」について、図１３を用いて説明する。図１２の「ジェット洗浄モード２」の状態において、便器装置１０１の制御部１２８より、洗浄水供給装置１０３に出水命令が送信されると、モータ１２７が作動して駆動軸１１９が反時計回りに回転し、駆動軸１１９と共にカム１２０が時計回りに、後述する流量配分に基づいて所定角度回転するが、カム１２０は扇型をしており、弁軸１２３は傾倒した状態を維持し、これによって主弁１２２は開弁した状態を維持する。この時、切替弁１２１は出水口１１４ａ側が僅かに開いた状態、出水口１１５ａが全開の位置（図示位置）にある。
【００６５】
従って、ジェット側に２Ｌ／ｍｉｎとリム側に１８Ｌ／ｍｉｎの流量の割合で給水される。即ち、切替弁１２１は、反時計回りに所定角度回転してジェット給水ポート１１４の出水口１１４ａを僅かに開放すると共にリム給水ポート１１５の出水口１１５ａを全開に開放して停止するので、定流量弁１１８によって所定の流量にされた洗浄水は洗浄水分配室１１３から、その多くが出水口１１５ａへ流れ込みリム給水路１１０を経由してリム給水口１１０ａからボウル部１０４へ吐水され溜水Ｗを形成する後リム洗浄を行なう。このときジェット側の給水は２Ｌ／ｍｉｎと少量となるのでボウル部１０４に再び水が溜まり始め、リム給水口１１０ａから吐水される洗浄水の流量は定流量弁１１８によって所定の流量にされているため、リム給水口１１０ａからの吐水時間のみを制御することで水位が所定の高さに上昇し溜水Ｗを形成できる。
【００６６】
図９の待機状態にする場合は、溜水Ｗを形成するために必要な時間だけ洗浄水を供給させた後、駆動軸１１９は反時計回りに回転し、カム１２０が弁軸１２３から離脱して主弁１２２が閉じて洗浄水の導入を停止した時点で停止する。
【００６７】
次に、用便後の便器洗浄について、図１４のフローチャートを用いて説明する。図１４に示すように、図１６のリモコン１２９に設置された便器洗浄スイッチ１２９ｂが押されると（若しくは使用者検知センサにより使用者が居なくなったことが検知されると）（ステップＳ１５１）、モータ１２７に通電がなされ、図９に示した切替弁１２１、及び主弁１２２が図１０に示す「リム洗浄モード１」の位置へ移動し、ボウル部１１１内に洗浄水が供給されボウル部１１１の洗浄が行われる（ステップＳ１５２）。
【００６８】
「リム洗浄モード１」の状態で４．５秒経過すると（ステップＳ１５３）、図１１に示す「ジェット洗浄モード１」の位置へ移動し、トラップ部１０５内に洗浄水が供給されることでサイフォン作用を発生させ、汚物をトラップ部１０５を介して便器１０２外へ排出する（ステップＳ１５４）。「ジェット洗浄モード１」の状態で４.８秒経過すると（ステップＳ１５５）、図１２に示す「ジェット洗浄モード２」の位置へ移動し、ボウル部１１１内及びトラップ部１０５内に洗浄水が同時に供給され溜水面に残る浮遊汚物をトラップ部１０５内に押し込みトラップ部１０５を介して便器１０２外へ排出する（ステップＳ１５６）。「ジェット洗浄モード２」の状態で２秒経過すると（ステップＳ１５７）、図１３に示す「リム洗浄モード２」の位置へ移動し（ステップＳ１５８）、便器１０２のボウル部１１１内に溜水Ｗを形成する。
【００６９】
次に、便器１０２を掃除する際の掃除モードについて、図１５の掃除モードのフローチャートを用いて説明する。なお、各洗浄モードの時間を変更している点及び、各洗浄モード中に掃除スイッチが押された時にはその時点で次の洗浄モードへ移行する点が通常の便器洗浄のフローとは異なっている。
【００７０】
即ち、図１６のリモコン１２９に設置されている掃除スイッチ１２９ａをＯＮすると（ステップＳ１６１）、前述の図１０で説明した、「リム洗浄モード１」（リム：１３Ｌ／ｍｉｎ、ジェット：７Ｌ／ｍｉｎ）が開始される（ステップＳ１６２）。該「リム洗浄モード１」を２５秒継続後（ステップＳ１６３）、前述の図１１で説明した、「ジェット洗浄モード１」（ジェット：２０Ｌ／ｍｉｎ）が開始される（ステップＳ１６４）。該「ジェット洗浄モード１」を３．５秒継続することにより、溜水Ｗを排水する（ステップＳ１６５）。また、前記「リム洗浄モード１」中の２５秒間に掃除スイッチ２９ａを再度ＯＮすると（ステップＳ１６６）、２５秒経過以前でも「ジェット洗浄モード１」が開始される（ステップＳ１６４）。該「ジェット洗浄モード１」の３．５秒経過後、前述の図１２で説明した、「ジェット洗浄モード２」（リム：５Ｌ／ｍｉｎ、ジェット：１５Ｌ／ｍｉｎ）が開始される（ステップＳ１６７）。該「ジェット洗浄モード２」の２５秒継続後（ステップＳ１６８）、前述の図１３で説明した、「リム洗浄モード２」（リム：１８Ｌ／ｍｉｎ、ジェット：５Ｌ／ｍｉｎ）が開始され溜水Ｗが形成される（ステップＳ１６９）。また、前記「ジェット洗浄モード２」中の２５秒間に掃除スイッチ２９ａを再度ＯＮすると（ステップＳ１７０）、２５秒経過以前でも「リム洗浄モード２」が開始される（ステップＳ１６９）。該「リム洗浄モード２」を３．６秒継続後（ステップＳ１７１）、自閉し待機状態となる（ステップＳ１６０）。即ち、待機状態において掃除スイッチ１２９ａを一度押しすれば「リム洗浄モード１」を実行し、待機状態において掃除スイッチ１２９ａを二度押しすれば「ジェット洗浄モード１」で溜水を排出した後に「ジェット洗浄モード２」を実行して、掃除スイッチ１２９ａの操作によって溜水の有り無しが異なる便器洗浄モードの実行を選択することができる。
【００７１】
「リム洗浄モード１」を２５秒間行うことにより、従来であれば掃除の際にボウル面を濡らす為に溜水Ｗを排水させていたが、溜水Ｗを排水させずにボウル面を濡らすことが可能となり、ムダ水を使わない。また、「リム洗浄モード１」を２５秒行なわずに途中で中断して、次の「ジェット洗浄モード２」に移行させて掃除を行なうことで、無駄水をなくして節水化を図ることができる。
【００７２】
「ジェット洗浄モード２」を２５秒間行うことにより、従来であれば溜水Ｗがあると、使用者がブラシを使い掃除をする際、水はねが起こり使用者へ付着することがあったが、溜水Ｗを排水した状態を保持するので、ボウル部を念入りに掃除することが可能となる。
【００７３】
「リム洗浄モード１」と「ジェット洗浄モード２」をプログラム動作を行うことにより、掃除の手間と時間の節約が可能となる。また、プログラム作動の際、「リム洗浄モード１」中に再度掃除スイッチをＯＮすると、スイッチ指令を優先して次の「ジェット洗浄モード１」へ移行し、「ジェット洗浄モード２」中に再度掃除スイッチをＯＮすると、スイッチ指令を優先して「リム洗浄モード２」へ移行するので、１つのスイッチで「リム洗浄モード１」及び「ジェット洗浄モード２」の時間を変更することができ（スイッチの削減）、各モードが終了するのを待つ必要が無く、各家庭の清掃作業に応じた対応とすることができる。
【００７４】
次に、参考例として、掃除モードを途中で中断する動作について説明する。「リム洗浄モード１」の動作中にリモコン１２９の止スイッチをＯＮすると、掃除モードの中断動作に移行する。「リム洗浄モード１」を直ぐに停止し「ジェット洗浄モード１」に移行して掃除によって汚れた溜水をサイフォン作用で排出する。その後、「ジェット洗浄モード２」は実行せずに「リム洗浄モード２」に移行して、リムから溜水を補給して掃除モードを完了する。この動作は、便器清掃モードとして「リム洗浄モード１」のみを実行する点で、上述した実施形態とは異なるが、スイッチ操作による指令を優先して掃除のための便器洗浄モードの時間を変更することができるので、各家庭の清掃作業に応じた時間設定により無駄水を無くした節水化を図ることができる。
【００７５】
本実施形態では、掃除スイッチを１つで対応していたが、「リム洗浄モード１」、「ジェット洗浄モード２」用のスイッチを用意しても良いことは言うまでも無い。この場合、待機状態で「ジェット洗浄モード２」用のスイッチを押すと、例えば、「ジェット洗浄モード１」、「ジェット洗浄モード２」、「リム洗浄モード１」の順に給水を行なうようにすれば、最初のリム洗浄の工程をなくすことができる。
【００７６】
また、本発明の第３の実施形態に係る便器装置の便器のリム部の形態としては、図９に示す本実施形態のリム部１１の他に、下面が連続したスリット形状の所謂オープンリムタイプの形態であってもよい。
【００７７】
以上、本発明の好適な実施形態を説明したが、これらは本発明の説明のための例示であって、本発明の範囲をこれらの実施例にのみ限定する趣旨ではない。本発明は、その要旨を逸脱することなく、他の種々の形態でも実施することができる。
【図面の簡単な説明】
【００７８】
【図１】本発明の第１の実施形態に係る便器装置の説明図。
【図２】図１に記載した上記便器装置の斜視図。
【図３】本発明の第２の実施形態に係る便器装置の概略説明図。
【図４】各実施形態に係る便器装置に適用されるバルブ部の一実施例の概略断面図。
【図５】図４のＰ方向から見たカムシャフトの初期状態を示す断面図。
【図６】本発明の第３の実施形態に係る便器装置を示す斜視図。
【図７】図６に記載の便器装置の分解斜視図。
【図８】本発明の第３の実施形態に係る洗浄水供給装置の組立図。
【図９】本発明の第３の実施形態に係る便器装置の給水閉止時の概略図。
【図１０】本発明の第３の実施形態に係る便器装置のリム洗浄モード１の概略図。
【図１１】本発明の第３の実施形態に係る便器装置のジェット洗浄モード１の概略図。
【図１２】本発明の第３の実施形態に係る便器装置のジェット洗浄モード２の概略図。
【図１３】本発明の第３の実施形態に係る便器装置のリム洗浄モード２の概略図。
【図１４】本発明の第３の実施形態に係るプログラム動作のフローチャート（１）。
【図１５】本発明の第３の実施形態に係るプログラム動作のフローチャート（２）。
【図１６】本発明の第３の実施形態に係るリモコンの外観図。
【符号の説明】
【００７９】
１０  便器装置
１１  ボウル部
１２  便器
１３  トラップ排水部
１４  リム給水部
１４ａ  貫通孔
１５  機器収納部
１６  噴出口
１７  給水管
１８、１９  枝管
２０  第１の止水弁
２１  第２の止水弁
２２、２４  配管
２３  大気開放弁
２５  導水部
２６  制御手段
２７  オンスイッチ
２８  オフスイッチ
２９  スイッチ操作部
３１  便座
３２  便蓋
【図１】
0003729273.tif 000002
【図２】
0003729273.tif 000003
【図３】
0003729273.tif 000004
【図４】
0003729273.tif 000005
【図５】
0003729273.tif 000006
【図６】
0003729273.tif 000007
【図７】
0003729273.tif 000008
【図８】
0003729273.tif 000009
【図９】
0003729273.tif 000010
【図１０】
0003729273.tif 000011
【図１１】
0003729273.tif 000012
【図１２】
0003729273.tif 000013
【図１３】
0003729273.tif 000014
【図１４】
0003729273.tif 000015
【図１５】
0003729273.tif 000016
【図１６】
0003729273.tif 000017